(57)【要約】【課題】  排水流が横枝管へ流入することなく優れた排水性能を有し、簡略な形状で製造が容易である排水用管継手を提供する。【解決手段】  排水立て管を接続するための上部及び下部開口接続部、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも一口の横枝管接続部を有する排水用管継手において、立て管排水流を受け止め旋回させるための管軸に対して傾斜した傾斜板、及び該傾斜板により旋回された排水流が前記横枝管接続部に流入するのを防止するための堰き止め板が、前記円筒部内側壁に設けられている。【選択図】  図１
2004169538.tif 000002
【特許請求の範囲】
【請求項１】
排水立て管を接続するための上部及び下部開口接続部と、該上部開口接続部の下部につながる前記排水立て管よりも大径の円筒部と、該円筒部の下部に下向きに縮径されながら下部開口接続部につながるテーパー筒部と、前記円筒部の側部に設けられた少なくとも一口の横枝管接続部とから構成される排水用管継手において、立て管排水流を受け止め旋回させるための、管軸に対して傾斜した傾斜板と、該傾斜板により旋回された排水流が前記横枝管接続部に流入するのを防止するための堰き止め板とが、前記円筒部内側面に設けられたことを特徴とする排水用管継手。
【請求項２】
上記傾斜板及び堰き止め板のいずれの上端部も前記横枝管接続部の上端部より高い位置に配置され、傾斜板下端部の位置において、傾斜板と堰き止め板との距離が０ｍｍ〜１００ｍｍとされていることを特徴とする請求項１に記載の排水用管継手。
【請求項３】
上記傾斜板及び堰き止め板のいずれの上端部も横枝管接続部の上端部より高い位置に設けられ、堰き止め板下端部の高さが傾斜板下端部の高さと同じ又は低くされていることを特徴とする請求項１又は２のいずれかに記載の排水用管継手。
【請求項４】
前記横枝管接続部下端より低い位置に、前記傾斜板により受け止められずに流下した立て管排水流を受け止め旋回させるための管軸に対して傾斜板と同方向に傾斜した旋回羽根（Ａ）が設けられたことを特徴とする請求項１〜３のいずれかに記載の排水用管継手。
【請求項５】
前記横枝管接続部下端より低い位置に、管軸に対して旋回羽根（Ａ）と同方向に傾斜した、前記堰き止め板により流下した立て管排水流を受け止め旋回させるための旋回羽根（Ｂ）が設けられたことを特徴とする請求項４に記載の排水用管継手。
【請求項６】
上記傾斜板下端部の高さ位置における傾斜板と堰き止め板との距離が０ｍｍから１００ｍｍとされ、上記旋回羽根（Ａ）の上端部が前記横枝管接続部下端部より低い位置となるように設けられていることを特徴とする請求項４又は５のいずれかに記載の排水用管継手。
【請求項７】
排水立て管を接続するための上部及び下部開口接続部と、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも一口の横枝管接続部を有する排水用管継手において、上記円筒部内面に、立て管排水流を受け止め旋回させるための管軸に対して傾斜した傾斜板が、上端位置が横枝管接続部の上端より高くなるように設けられ、上記横枝管接続部下端より低い位置に、傾斜板により受け止められずに流下した立て管排水流を受け止め旋回させるための管軸に対して傾斜板と同方向に傾斜した旋回羽根（Ａ）が設けられ、上記傾斜板の下端部と旋回羽根（Ａ）の上端部との距離が５０ｍｍ〜４５０ｍｍとされていることを特徴とする排水用管継手。
【請求項８】
前記横枝管接続部下端より低い位置に、前記堰き止め板により流下した立て管排水流を受け止め旋回させるための管軸に対して旋回羽根（Ａ）と同方向に傾斜した旋回羽根（Ｂ）が設けられたことを特徴とする請求項７に記載の排水用管継手。
【発明の詳細な説明】
【技術分野】
【０００１】
本発明は、排水用管継手に関し、詳しくは、集合住宅、ホテル、事務所ビルなどの排水配管における排水立て管配管に好適に用いられる排水用管継手に関する。
【背景技術】
【０００２】
集合住宅において使用される排水立て管配管に用いられる排水用管継手は、一般に、排水立て管を接続するための上部及び下部開口接続部、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも一口の横枝管接続部を有し、テーパー筒部内面には必要に応じて、立て管を通って排水される立て管排水流を旋回させながら排水させるための旋回羽根が設けられた構造となっている。
【０００３】
近年、前記排水用管継手の排水性能などを向上するため種々の提案がなされており、例えば、枝管受け口よりも上方に位置して偏流ガイドを備え、下方縮径部での旋回方向と同方向に旋回力を与える偏流ガイド側部を設けた排水集合管が開示されている（例えば、特許文献１参照。）。
【０００４】
また、膨径室（前記円筒部に相当）の上部に排水流を偏流させるための偏流板が設けられ、テーパー室内周面には複数枚の旋回整流板が突設されており、膨径室から流下する排水流に対する旋回整流板は突出量が大きく形成され、他の旋回整流板は突出量が小さく形成されている排水用配管部材が開示されている（例えば、特許文献２参照。）。
【０００５】
更に、本体部（前記円筒部に相当）の横枝管接続口の下方において、それぞれ内周壁より突出した少なくとも１個の第１旋回ガイドと、少なくとも１個の第２旋回ガイドとを備え、前記第１旋回ガイドと第２旋回ガイドとが管軸に対して非対称で対向して設けられてなる排水集合管継手が開示されている（例えば特許文献３参照。）。
【特許文献１】特開平８−９３０２１号公報
【特許文献２】特許第２９１２８２７号
【特許文献３】特開平１１−２１７８５９号公報
【発明の開示】
【発明が解決しようとする課題】
【０００６】
しかし、本発明者の検討によれば、前記特許文献１における排水用管継手においては、排水が流下するための有効断面積を確保することが必ずしも充分とはいえず、また、枝管への流入を防止するために偏流ガイド側壁の形状を大きくする必要があるので、偏流ガイドの形状が複雑になり製造が困難になりやすいという問題があった。
【０００７】
また、前記特許文献２における排水用管継手においても、偏流板によって偏流させた排水流に対して、排水条件などを加味して精度良く対応する位置に旋回整流板を設ける必要があるため、旋回整流板の位置設定が難しくまた位置が限定され、継手の大きさなどの全体形状にも大きな制約を受けることとなり製造が困難になりやすいという問題があった。
【０００８】
更に、前記特許文献３における排水集合管継手においては、旋回羽根を横枝管接続口よりを下方において、排水立て管より大径の円筒部からテーパー筒部に２枚を管軸に対して位置をずらして設置しているが、旋回羽根が対向しており、共に横枝管接続口の下方に設置してあるため、互いの旋回羽根からの旋回流の干渉の影響を受けて、流れが乱れるため、排水性能に影響を与えるという問題があったほか、テーパー筒部に大きな旋回羽根を設置することによる汚物の詰まりを防止するために、十分に大きな旋回羽根を設置できない等の問題があった。
【０００９】
本発明の目的は、前記従来の排水用管継手の問題点に鑑み、排水流が横枝管へ流入することなく優れた排水性能を有し、簡略な形状で製造が容易である排水用管継手を提供することにある。
【課題を解決するための手段】
【００１０】
請求項１記載の排水用管継手（発明１）は、排水立て管を接続するための上部及び下部開口接続部、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも一口の横枝管接続部を有する排水用管継手において、立て管排水流を受け止め旋回させるための管軸に対して傾斜した傾斜板、及び該傾斜板により旋回された排水流が前記横枝管接続部に流入するのを防止するための堰き止め板が、前記円筒部内側壁に設けられたことを特徴とする。
【００１１】
請求項２記載の排水用管継手（発明２）は、発明１の排水用管継手であって、上記傾斜板及び堰き止め板のいずれの上端部も前記横枝管接続部の上端部より高い位置に配置され、傾斜板下端部の位置における傾斜板と堰き止め板との距離が、０ｍｍ〜１００ｍｍとされていることを特徴とする。
【００１２】
請求項３記載の排水用管継手（発明３）は、発明１又は発明２の排水用管継手であって、上記傾斜板及び堰き止め板のいずれの上端部も、横枝管接続部の上端部より高い位置に設けられ、堰き止め板下端部の高さが、傾斜板下端部の高さと同じ又は低くされていることを特徴とする。
【００１３】
請求項４記載の排水用管継手（発明４）は、発明１からの３のいずれかの排水用管継手であって、前記横枝管接続部の下端部より下方に、前記傾斜板により受け止められずに流下した立て管排水流を受け止め旋回させるための管軸に対して傾斜板と同方向に傾斜した旋回羽根（Ａ）が設けられたことを特徴とする。
【００１４】
請求項５記載の排水用管継手（発明５）は、発明４の排水用管継手であって、前記横枝管接続部の下端部より下方に、管軸に対して旋回羽根（Ａ）と同方向に傾斜した、前記堰き止め板により流下した立て管排水流を受け止め旋回させるための旋回羽根（Ｂ）が設けられたことを特徴とする。
【００１５】
請求項６記載の排水用管継手（発明６）は、発明４又は５のいずれかの排水用管継手であって、前記旋回羽根（Ａ）が、管軸に対して２０〜４５°の角度で設けられたことを特徴とする。
【００１６】
請求項７記載の排水用管継手（発明７）は、排水立て管を接続するための上部及び下部開口接続部と、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも一口の横枝管接続部を有する排水用管継手において、上記円筒部内面に、立て管排水流を受け止め旋回させるための管軸に対して傾斜した傾斜板が、上端位置が横枝管接続部の上端より高くなるように設けられ、上記横枝管接続部下端より低い位置に、傾斜板により受け止められずに流下した立て管排水流を受け止め旋回させるための管軸に対して傾斜板と同方向に傾斜した旋回羽根（Ａ）が設けられ、上記傾斜板の下端部と旋回羽根（Ａ）の上端部との距離が５０ｍｍ〜４５０ｍｍとされていることを特徴とする。
【００１７】
請求項８記載の排水用管継手（発明８）は、発明７の排水用管継手であって、前記横枝管接続部下端より低い位置に、前記堰き止め板により流下した立て管排水流を受け止め旋回させるための管軸に対して旋回羽根（Ａ）と同方向に傾斜した旋回羽根（Ｂ）が設けられたことを特徴とする。
【００１８】
発明１〜６においては、排水立て管よりも大径の円筒部内側面に、立て管排水流を受け止め旋回させるための管軸に対して傾斜した傾斜板と、該傾斜板により旋回された排水流が、前記円筒部の側部に設けられた横枝管接続部に流入するのを防止するための堰き止め板とが設けられている。更に、上記に加え、傾斜板、又は堰き止め板、又は横枝管接続部より下方に、旋回羽根（Ａ）又は旋回羽根（Ｂ）が設けられていても良い。
【００１９】
傾斜板及び堰き止め板は、いずれもその上端部が横枝管接続部の上端部より高い位置に設けられている。取付け位置が横枝管接続部の上端部より上方であるので、上方の立て管から流下してきた汚水等は傾斜板に衝突して旋回流となり、横枝管から来る汚水等が継手円筒部内に流入することを妨げなくなる。
【００２０】
傾斜板下端部又は堰き止め板下端部のいずれか高い方の位置における傾斜板と堰き止め板との距離は、０ｍｍ〜１００ｍｍとされ、約２０ｍｍから８０ｍｍ程度が好ましい。１００ｍｍより広ければ、傾斜板により旋回流とされた汚水等は堰き止め板により堰き止めることができず、排水の流れが乱れてしまう他、横枝管への逆流が起こってしまう恐れがある。
【００２１】
なお、この距離は０ｍｍであっても良いが、０ｍｍの場合は、その箇所における傾斜板又は堰き止め板の継手内部への突出長さが少なくなるように、例えばその箇所において突出長さが１０ｍｍ以下程度となるようにされると良い。これ以上継手内部側に突出していると、汚水中の汚物や異物が詰まってしまう恐れがでてくる。
【００２２】
通常、上記傾斜板を設ける際の管軸に対しての傾斜角度（以下、「設置角度」ともいう）は、２０°〜６５°とされる。傾斜板の角度が６５°より立っていると、傾斜板に衝突した汚水が跳ね返り、流れを乱してしまう恐れが大きくなって、管内の圧力変動が大きくなり過ぎることがある。また、２０°未満であると充分な旋回流が得られないことに加え、継手上方から見て、傾斜板の投影面積と円筒部の断面積との比が所定の範囲（後述）に入らなくなる恐れも出てくる。
【００２３】
また、堰き止め板の設置角度は垂直方向から−３０°〜２０°とされる。設置角度が２０°より傾くと、傾斜板によって旋回された旋回流が十分に堰き止められずに、横枝管への逆流が発生してしまう恐れも出てくる。また−３０°よりも傾くと受け止めた水の跳ね返りが大きくなり、流れを乱してしまう恐れがあり、管内の圧力変動が大きくなってしまう恐れがある。
【００２４】
堰き止め板下端部の高さは、傾斜板下端部の高さと同じ又は低くされる。即ち、高さの差が０ｍｍ〜１５０ｍｍ程度低くされていると、傾斜板で旋回された汚水流は、堰き止め板と傾斜板との間でその流れが乱されずスムースな流れとなり、しかも旋回流を堰き止め板で受け止めることで流下排水の流速をを減速させつつ偏流させることができるため、優れた排水性能が発現される。又、大径の円筒部に傾斜板が設置されるので、十分に大きな羽根を設置することが可能となり、更に排水性能が向上する。
【００２５】
この場合の堰き止め板の設置角度は−３０°〜２０°とされる。即ち、傾斜板の設置角度は２０°〜６５°であるので、堰き止め板の設置角度が上記範囲であれば、傾斜板と堰き止め板とが、あたかもＶ字形状ないしｙ字形状となるように配置される。
【００２６】
前記横枝管接続部の下端部より下方に、前記傾斜板により受け止められずに流下した立て管排水流を受け止め旋回させるための管軸に対して傾斜した旋回羽根（Ａ）、又は前記堰き止め板により受け止められずに流下した立て管排水流を受け止め旋回させるための管軸に対して傾斜した旋回羽根（Ｂ）が設けられたものである。従って、上記排水性能が向上する効果は更に確実なものとなる。
【００２７】
旋回羽根（Ａ）の設置角度が、２０°〜４５°の角度で設けられている。２０°より立っていれば、傾斜板により受け止められずに流下した立て管排水流が充分な旋回流とならず、また４５°より傾いていれば、旋回羽根（Ａ）に当たる汚水が跳ね返り、流れを乱してしまう恐れがある。
【００２８】
旋回羽根（Ｂ）の設置角度が２０°〜６５°の角度で設けられている。２０°より立っていれば、前記堰き止め板により受け止められずに流下した排水立て管を流下する排水が充分な旋回流とならず、６５°より傾いていれば、旋回羽根（Ｂ）に当たる汚水が跳ね返り、流れを乱してしまう恐れがある。
【００２９】
前記旋回羽根（Ａ）又は旋回羽根（Ｂ）の設置角度は、大き過ぎると立て管排水流が旋回羽根（Ａ）又は旋回羽根（Ｂ）に当たった際の跳ね返りが大きくなり、管内の圧力変動が大きくなり過ぎることがある。また、設置角度が小さ過ぎると、前記排水立て管の内径断面積（Ｓ）に対する前記旋回羽根（Ａ）と旋回羽根（Ｂ）との合計の排水立て管内径面に対する投影面積（ｓg）との割合（ｓg／Ｓ、以下、「投影面積比」）を得るために前記旋回羽根（Ａ）又は旋回羽根（Ｂ）の形状を長くする必要が生じ、そのため継手の上下方向の長さが長くなりコストアップに繋がる他、継手の重量が過大になることがある。このため前記設置角度は、旋回羽根（Ａ）においては２０°〜４５°であることが好ましく、旋回羽根（Ｂ）においては２０°〜６５°であることが好ましいのである。
【００３０】
上端部位置が低い方の、前記旋回羽根（Ａ）又は旋回羽根（Ｂ）のいずれかの旋回羽根のうち、上端部位置が低い方の旋回羽根例えば旋回羽根（Ｂ）の排水用管継手内面側への突出量が、上端部位置が高い方の旋回羽根例えば旋回羽根（Ａ）の排水用管継手の内面側への突出量よりも大きくされている。従って、排水立て管を流下してくる汚水は旋回羽根（Ａ）と旋回羽根（Ｂ）とに良く衝突し、効果的に旋回流となる。
【００３１】
なお、前記旋回羽根（Ａ）及び旋回羽根（Ｂ）は、何れか単独で設けられてもよいが、双方共に設けられたものであると、旋回力向上の効果が確実になる点でより好ましい。
【００３２】
前記排水立て管の内径断面積（Ｓ）に対する前記旋回羽根（Ａ）と前記旋回羽根（Ｂ）との合計の排水立て管内径面に対する投影面積（ｓg）との割合（ｓg／Ｓ）が０．１５〜０．５５とされることが好ましい。
【００３３】
投影面積比（ｓg／Ｓ）が０．５５より大き過ぎると、排水に含まれる異物などの詰まりが発生し易くなることがあり、０．１５より小さ過ぎると立て管排水流を受け止め旋回させる機能が発揮され難くなることがある。この場合、特に前記傾斜板６により受け止められずに流下した立て管排水流を効率よく受け止め更に旋回力を付与するためには、下方に位置する旋回羽根の投影面積を上方に位置する旋回羽根の投影面積より大きくすることが好ましい。このことは換言すると、前記旋回羽根（Ａ）の排水用管継手の内面側への突出量が、前記旋回羽根（Ｂ）の排水用管継手の内面側への突出量よりも大きいことを意味する。
【００３４】
前記傾斜板が管軸に対して２０°〜６５°の設置角度で設けられ、且つ前記排水立て管の内径断面積（Ｓ）と前記傾斜板の排水立て管内径面に対する投影面積（ｓk）との割合（ｓk／Ｓ）が０．０５〜０．３０であることが好ましい。
【００３５】
前記傾斜板の設置角度が２０°より小さ過ぎると、前記排水立て管の内径断面積（Ｓ）と前記傾斜板の排水立て管内径面に対する投影面積（ｓk）との割合（ｓk／Ｓ、以下、「投影面積比」ともいう）を確保するために前記傾斜板の形状を長くする必要が生じ、そのため継手の上下方向の長さが長くなりコストアップに繋がる他、継手の重量が過大になることがある。このため、前記投影面積比は０．０５〜０．３０であることが好ましく、前記傾斜板の設置角度は２０°〜６５°であることが好ましいのである。
【００３６】
上記傾斜板下端部の高さ位置における傾斜板と堰き止め板との距離が０ｍｍから１００ｍｍとされ、上記第１の旋回羽根（Ａ）の上端部が前記横枝管接続部下端部以下の低い位置となるように設けられていることが好ましい。旋回羽根（Ａ）の上端部位置が横枝管接続部の下端部位置より高くなると、旋回羽根に衝突した汚水が横枝管側に行って、横枝管からの汚水の流入を阻害する恐れが出てくる。
【００３７】
発明７〜８の排水用管継手は、上記発明１〜６の管継手に用いられている堰き止め板がないものである。
【００３８】
円筒部内面に、立て管排水流を受け止め旋回させるための管軸に対して傾斜した傾斜板が、上端位置が横枝管接続部の上端より高くなるように設けられ、上記横枝管接続部下端より低い位置に、傾斜板により受け止められずに流下した立て管排水流を受け止め旋回させるための管軸に対して傾斜板と同方向に傾斜した旋回羽根(Ａ）が設けられ、上記傾斜板の下端部と旋回羽根（Ａ）の上端部との距離が５０ｍｍ〜４５０ｍｍとされていることが好ましい。
【００３９】
堰き止め板がないので、傾斜板により旋回流とされた汚水流れは、そのまま旋回羽根（Ａ）に当たり、旋回羽根（Ａ）により更に旋回されて下方に流れ、排水性能が向上する。この場合、傾斜板の下端部と旋回羽根（Ａ）の上端部との距離が５０ｍｍ未満とされていると、傾斜板で旋回された旋回流と旋回羽根（Ａ）による旋回流とが干渉し合ってスムースな流れにならなくなる恐れがある。また、４５０ｍｍより大であると、傾斜板により旋回された汚水の旋回流が旋回羽根（Ａ）に案内されて衝突するまでにその旋回が乱れ、旋回羽根（Ａ）による旋回が不十分になって傾斜板で旋回された旋回流が弱まり充分な旋回力が得られなくなる恐れがある。更に、継手の全長が長くなりコストアップにもなる。
【００４０】
発明８においては、発明７の排水用管継手に加えて、その横枝管接続部下端より低い位置に、堰き止め板により流下した立て管排水流を受け止め旋回させるための管軸に対して旋回羽根（Ａ）と同方向に傾斜した旋回羽根（Ｂ）が設けられている。従って、上記排水性能が向上する効果は更に確実なものとなる。
【００４１】
旋回羽根（Ａ）は、管軸に対して２０〜４５°の角度で設けられている。２０°より立っていれば、傾斜板により受け止められずに流下した立て管排水流が充分な旋回流とならず、また４５°より傾いていれば、旋回羽根（Ａ）に当たる汚水が跳ね返り、流れを乱してしまう恐れがある。
【００４２】
旋回羽根（Ｂ）は、管軸に対して２０〜６５°の角度で設けられている。２０°より立っていれば、前記堰き止め板により受け止められずに流下した排水立て管を流下する排水が充分な旋回流とならず、６５°より傾いていれば、旋回羽根（Ｂ）に当たる汚水が跳ね返り、流れを乱してしまう恐れがある。
【００４３】
前記旋回羽根（Ａ）又は旋回羽根（Ｂ）を設ける際の管軸に対しての角度（以下、「設置角度」）は、大き過ぎると立て管排水流が旋回羽根（Ａ）又は旋回羽根（Ｂ）に当たった際の跳ね返りが大きくなり、管内の圧力変動が大きくなり過ぎることがある。また、設置角度が小さ過ぎると、前記排水立て管の内径断面積（Ｓ）に対する前記旋回羽根（Ａ）と旋回羽根（Ｂ）との合計の排水立て管内径面に対する投影面積（ｓg）との割合（ｓg／Ｓ、以下、「投影面積比」）を得るために前記旋回羽根（Ａ）又は旋回羽根（Ｂ）の形状を長くする必要が生じ、そのため継手の上下方向の長さが長くなりコストアップに繋がる他、継手の重量が過大になることがある。このため前記設置角度は、旋回羽根（Ａ）においては２０°〜４０５°であることが好ましく、旋回羽根（Ｂ）においては２０°〜６５°であることが好ましいのである。
【００４４】
旋回羽根（Ａ）又は旋回羽根（Ｂ）のうち、上端部位置が低い方の旋回羽根例えば旋回羽根（Ｂ）の排水用管継手内面側への突出量は、上端部位置が高い方の旋回羽根例えば旋回羽根（Ａ）の排水用管継手の内面側への突出量よりも大きくされている。従って、排水立て管を流下してくる汚水は旋回羽根（Ａ）と旋回羽根（Ｂ）とによく衝突し、効果的に旋回流となる。
【００４５】
なお、前記旋回羽根（Ａ）及び旋回羽根（Ｂ）は、何れか単独で設けられてもよいが、双方共に設けられたものであると、旋回力向上の効果が確実になる点でより好ましい。
【００４６】
排水立て管の内径断面積（Ｓ）に対する前記旋回羽根（Ａ）と前記旋回羽根（Ｂ）との合計の排水立て管内径面に対する投影面積（ｓg）との割合（ｓg／Ｓ）は、０．１５〜０．５５であることが好ましい。
【００４７】
投影面積比（ｓg／Ｓ）が０．５５より大き過ぎると、排水に含まれる異物などの詰まりが発生し易くなることがあり、０．１５より小さ過ぎると立て管排水流を受け止め旋回させる機能が発揮され難くなることがある。この場合、特に前記傾斜板６により受け止められずに流下した立て管排水流を効率よく受け止め更に旋回力を付与するためには、前記旋回羽根（Ａ）の投影面積を前記旋回羽根（Ｂ）の投影面積より大きくすることが好ましい。このことは換言すると、前記旋回羽根（Ａ）の排水用管継手の内面側への突出量が、前記旋回羽根（Ｂ）の排水用管継手の内面側への突出量よりも大きいことを意味する。
【００４８】
傾斜板は管軸に対して２０〜６５°の角度で設けられ、且つ前記排水立て管の内径断面積（Ｓ）と前記傾斜板の排水立て管内径面に対する投影面積（ｓk）との割合（ｓk／Ｓ）が０．０５〜０．３０とされている。
【００４９】
前記傾斜板の設置角度は、６５°より大き過ぎると立て管排水流が傾斜板に当たった際の水の飛散などのいわゆる跳ね返りが大きくなり、管内の圧力変動が大きくなり過ぎることがある。また、設置角度が２０°より小さ過ぎると、前記排水立て管の内径断面積（Ｓ）と前記傾斜板の排水立て管内径面に対する投影面積（ｓk）との割合（ｓk／Ｓ、以下、「投影面積比」ともいう）を確保するために前記傾斜板の形状を長くする必要が生じ、そのため継手の上下方向の長さが長くなりコストアップに繋がる他、継手の重量が過大になることがある。このため前記投影面積比は０．０５〜０．３０であることが好ましく、前記傾斜板の設置角度は２０〜６５°であることが好ましいのである。
【発明の効果】
【００５０】
本発明の排水用管継手は、立て管排水流を受け止め旋回させるための管軸に対して傾斜した傾斜板、及び該傾斜板により旋回された排水流が前記横枝管接続部に流入するのを防止するための堰き止め板が前記円筒部内壁に設けられたことを特徴とするので、排水流が横枝管へ流入することなく優れた排水性能を有し、簡略な形状で製造が容易である排水用管継手を提供することができる。
【００５１】
加えて、前記傾斜板により受け止められずに流下した立て管排水流を受け止め、旋回し流下させるための旋回羽根（Ａ）及び旋回羽根（Ｂ）が設けられる場合であっても、旋回羽根（Ａ）及び（Ｂ）の設置位置についても、前記傾斜板からの流れに対応した位置でさえあれば良いので、ある程度任意に設定が可能となり、製造が容易となる。
【発明を実施するための最良の形態】
【００５２】
以下、本発明について図面を参照しつつ詳細に説明する。
本発明の排水用管継手は図１に例示するように、排水立て管（図示せず）を接続するための上部及び下部開口接続部１と２、及び上部開口接続部１の下部に連続して構成される前記排水立て管よりも大径の円筒部３、該円筒部３の下部に下向きに縮径されながら下部開口接続部につながるテーパー筒部４、前記円筒部３の側部に設けられた少なくとも一口の横枝管接続部５を有する排水用管継手において、立て管排水流を受け止め旋回させるための管軸に対して傾斜した傾斜板６、及び該傾斜板６により旋回された排水流が前記横枝管接続部５に流入するのを防止するための堰き止め板７が前記円筒部３の内壁に設けられたものである。
【００５３】
前記傾斜板６の設置角度は、大き過ぎると立て管排水流が傾斜板６に当たった際の水の飛散などのいわゆる跳ね返りが大きくなり、管内の圧力変動が大きくなり過ぎることがある。また、設置角度が小さ過ぎると、前記排水立て管の内径断面積（Ｓ）と前記傾斜板６の排水立て管内径面に対する投影面積（ｓk）との割合（ｓk／Ｓ、以下、「投影面積比」ともいう）を確保するために前記傾斜板６の形状を長くする必要が生じ、そのため継手の上下方向の長さが長くなりコストアップに繋がる他、継手の重量が過大になることがある。このため前記投影面積比は０．０５〜０．３０であることが好ましく、前記傾斜板の設置角度は２０〜６５°であることが好ましい。
【００５４】
前記堰き止め板７の排水用管継手の内面側への突出量は、小さ過ぎると横枝管接続部５への排水流の流入を防止し難くなることがあり、大き過ぎると排水に含まれる異物などの詰まりが発生し易くなるので１０〜４０ｍｍであることが好ましい。
【００５５】
なお、前記排水立て管の内径断面積（Ｓ）と前記堰き止め板７の排水立て管内径面に対する投影面積（ｓs）との割合（ｓs／Ｓ、以下、「投影面積比」）は、大き過ぎると排水に含まれる異物などの詰まりが発生し易くなる他、立て管排水流が堰き止め板７に当たった際の跳ね返りが大きくなり、管内の圧力変動が大きくなり過ぎることがあるので０．１以下であることが好ましい。
【００５６】
前記テーパー筒部４に、前記傾斜板６により受け止められずに流下した立て管排水流を受け止め旋回させるための管軸に対して傾斜した旋回羽根（Ａ）８が設けられたものであると、排水流の旋回力が向上する点で好ましい。
【００５７】
また、前記テーパー筒部４に、前記堰き止め板７により受け止められずに流下した立て管排水流を受け止め旋回させるための管軸に対して傾斜した旋回羽根（Ｂ）９が設けられたものであると前記同様に排水流の旋回力が向上する点で好ましい。
【００５８】
前記旋回羽根（Ａ）８及び旋回羽根（Ｂ）９は、何れか単独で設けられてもよいが、双方共に設けられたものであると、旋回力向上の効果が確実になる点でより好ましい。
【００５９】
前記旋回羽根（Ａ）８又は旋回羽根（Ｂ）９を設ける際の管軸に対しての角度（以下、「設置角度」）は、大き過ぎると立て管排水流が旋回羽根（Ａ）８又は旋回羽根（Ｂ）９に当たった際の跳ね返りが大きくなり、管内の圧力変動が大きくなり過ぎることがある。また、設置角度が小さ過ぎると、前記排水立て管の内径断面積（Ｓ）に対する前記旋回羽根（Ａ）８と旋回羽根（Ｂ）９との合計の排水立て管内径面に対する投影面積（ｓg）との割合（ｓg／Ｓ、以下、「投影面積比」）を得るために前記旋回羽根（Ａ）８又は旋回羽根（Ｂ）９の形状を長くする必要が生じ、そのため継手の上下方向の長さが長くなりコストアップに繋がる他、継手の重量が過大になることがある。
このため前記設置角度は、旋回羽根（Ａ）８においては２０°〜４５°であることが好ましく、旋回羽根（Ｂ）９においては２０°〜６５°であることが好ましい。
【００６０】
また、前記旋回羽根（Ａ）と前記旋回羽根（Ｂ）との合計の投影面積比（ｓ／Ｓ）は、大き過ぎると、排水に含まれる異物などの詰まりが発生し易くなることがあり、小さ過ぎると立て管排水流を受け止め旋回させる機能が発揮され難くなることがあるので０．１５〜０．５５であることが好ましい。
【００６１】
この場合、特に前記傾斜板６により受け止められずに流下した立て管排水流を効率よく受け止め更に旋回力を付与するためには、上端部の取付け位置が低い方の旋回羽根の投影面積を、高い方の旋回羽根の投影面積より大きくすることが好ましい。このことは、必ずしも決まったことではないが、多くの場合、前記旋回羽根（Ｂ）９の排水用管継手の内面側への突出量が、前記旋回羽根（Ａ）８の排水用管継手の内面側への突出量よりも大きいことを意味する。
【実施例】
【００６２】
以下に実施例および比較例を示すことにより、本発明を具体的に説明する。本発明は下記実施例のみに限定されるものではない。
【００６３】
実施例１〜３及び比較例１〜５として、図８に例示するような構造の排水用管継手を表１に示す仕様で作製し、性能評価を行った。各々の評価結果は表１に示した。
【００６４】
実施例４、５として、図９に例示するような構造の排水用管継手を表１に示す仕様で作製し、性能評価を行った。各々の評価結果は表１に示した。
【００６５】
【表１】
2004169538.tif 000003
【００６６】
表中、性能評価欄に記載の流入防止性については、◎印は目視で全く発生していないと認められる状態、○印は極少量あるがが実用上問題がないと認められる状態、×印は逆流が大量に発生している状態を示し、生産性については、◎印は生産効率が９８％以上、○印は生産効率が９５％以上であることを示し、コストについては、◎印は従来と同等以下、○印は従来より約１０％以内のコストアップとなることを示す。又、管内での異物の詰まりは、目視により観察した結果である。
【００６７】
表１から明らかなように、本発明の実施例においては、横枝管への流入防止性、生産性、コスト面で良好であり、圧力変動値も小さく、異物の詰まりもない良好な性能を示すことが判明した。
【図面の簡単な説明】
【００６８】
【図１】傾斜板と堰き止め板とを有し、旋回羽根がない排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図２】傾斜板と堰き止め板とが、その下端部同士が略Ｖ字形状又はｙ字形状となるように接触又は接近している排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図３】傾斜板と堰き止め板とがなす形状が、略Ｖ字形状又はｙ字形状の他の例を示す模式図である。  （ａ）傾斜板と堰き止め板とがＶ字形状で下端部同士が接触している場合の模式図。  （ｂ）傾斜板と堰き止め板とがＶ字形状で下端部同士が接触していない場合の模式図。  （ｃ）傾斜板と堰き止め板とがｙ字形状で傾斜板の下端部が堰き止め板に接触している場合の模式図。
【図４】傾斜板と堰き止め板と旋回羽根（Ａ）とを有する排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図５】傾斜板と堰き止め板と旋回羽根（Ａ）と旋回羽根（Ｂ）とを有する排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図６】傾斜板と旋回羽根（Ａ）とを有し、堰き止め板がない排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図７】傾斜板と旋回羽根（Ａ）と旋回羽根（Ｂ）とを有し、堰き止め板がない排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図８】傾斜板と堰き止め板と旋回羽根（Ａ）と旋回羽根（Ｂ）とを有する排水用管継手の１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【図９】図８の排水用管継手の別の一例で、３口の横枝管接続部が設けられた１例を示す模式図である。  （ａ）前記排水用管継手の１例における上面図である。  （ｂ）前記排水用管継手の１例における側面図である。  （ｃ）前記排水用管継手の１例におけるＢ−Ｂ断面図である。  （ｄ）前記排水用管継手の１例におけるＡ−Ａ断面図である。
【符号の説明】
【００６９】
１  上部開口接続部
２  下部開口接続部
３  円筒部
４  テーパー筒部
５  横枝管接続部
６  傾斜板
７  堰き止め板
８  旋回羽根（Ａ）
９  旋回羽根（Ｂ）
【図１】
2004169538.tif 000004
【図２】
2004169538.tif 000005
【図３】
2004169538.tif 000006
【図４】
2004169538.tif 000007
【図５】
2004169538.tif 000008
【図６】
2004169538.tif 000009
【図７】
2004169538.tif 000010
【図８】
2004169538.tif 000011
【図９】
2004169538.tif 000012